(57)【要約】この発明は、床被覆材、特にカーペットを、床または階段に接着するための自己接着フィルムに関する。前記自己接着フィルムは支持体を含み、これは床被覆材に面する上面と、床または階段に面する下面とにおいて、感圧接着コーティングによりコーティングされる。この発明に従うと、自己接着フィルムは１５ｍ以下のｓｄ値で水蒸気に対し透過性があり、支持体はプラスチックフィルムからなり、少なくとも支持体は穿孔される。【特許請求の範囲】
【請求項１】
感圧接着フィルムであって、床被覆材、特にカーペットを床または階段に対して接着するためのものであり、前記感圧接着フィルムは支持体を有し、前記支持体は、床被覆材に面する上面と、床または階段に面する下面とにおいて、感圧接着コーティングによりコーティングされ、前記感圧接着フィルムは、１５ｍ以下のｓｄ値で水蒸気に対し透過性があり、支持体はプラスチックフィルムからなり、少なくとも支持体は穿孔される、感圧接着フィルム。
【請求項２】
少なくとも１表面の感圧接着コーティングは穿孔される、請求項１に記載の感圧接着フィルム。
【請求項３】
少なくとも支持体、および任意には少なくとも１表面の感圧接着コーティングには、表面全体にわたって配置した穿孔が与えられる、請求項１または２のいずれかに記載の感圧接着フィルム。
【請求項４】
支持体と、少なくとも１表面の感圧接着コーティングとにある穿孔は、互いに整列して配置される、請求項３に記載の感圧接着フィルム。
【請求項５】
穿孔は、好ましくは互いに対し１０ｃｍ未満の距離で与えられ、孔は好ましくは４ｍｍ２未満の断面積を有する、請求項３または４のいずれかに記載の感圧接着フィルム。
【請求項６】
支持体の下面は本質的に平らに構成される、請求項１から５のいずれかに記載の感圧接着フィルム。
【請求項７】
感圧接着コーティングの少なくとも下面は本質的に平らに構成される、請求項１から６のいずれかに記載の感圧接着フィルム。
【請求項８】
少なくとも１表面の感圧接着コーティングは、水蒸気が拡散できる感圧接着剤からなる、請求項１から７のいずれかに記載の感圧接着フィルム。
【請求項９】
床もしくは階段、または床もしくは階段および床被覆材からの剥離中、感圧接着コーティングは支持体に残る、請求項１から８のいずれかに記載の感圧接着フィルム。
【請求項１０】
下面の感圧接着コーティングの接着強さは、上面の感圧接着コーティングの接着強さよりも小さい、請求項１から９のいずれかに記載の感圧接着フィルム。
【請求項１１】
少なくとも上面には除去可能被覆フィルムがある、請求項１から１０のいずれかに記載の感圧接着フィルム。
【請求項１２】
前記フィルムは、床被覆材を敷く床または階段を大きな表面にわたって覆うよう構成される、請求項１から１１のいずれかに記載の感圧接着フィルム。
【請求項１３】
フィルムの幅は、８０ｍｍから２０００ｍｍの範囲、特に５００ｍｍから１５００ｍｍ、特に６００ｍｍから１０００ｍｍの範囲であり、幅は特に階段での用途には２４０ｍｍ、床での用途には少なくとも３５０ｍｍである、請求項１から１２のいずれかに記載の感圧接着フィルム。
【請求項１４】
前記フィルムの幅は８０ｍｍから５００ｍｍの範囲である、請求項１から１１のいずれかに記載の感圧接着フィルム。
【請求項１５】
支持体は、１０〜１００μｍの範囲、特に２５〜７５μｍ、特に５０〜７０μｍの範囲の厚みを有する、請求項１から１４のいずれかに記載の感圧接着フィルム。
【請求項１６】
ｓｄ値は、０．２ｍから１５ｍの範囲、特に０．５ｍから７ｍの範囲である、請求項１から１５のいずれかに記載の感圧接着フィルム。
【請求項１７】
感圧接着フィルムはロールへと巻取られる、請求項１から１６のいずれかに記載の感圧接着フィルム。
【発明の詳細な説明】
【０００１】
この発明は、請求項１の導入部に従い、床被覆材、特にカーペットを、床または階段に接着するための感圧接着フィルムに関する。
【０００２】
感圧接着テープまたはフィルムが既に一般に公知であり、そのいくつかは床被覆材を床に接着することも意図している。床被覆材を階段に敷くには、現在湿式接着剤または接着テープが通常用いられる。しかしこの結果、階段から床被覆材を除去する際に大量の接着剤の残留物が残ってしまう。
【０００３】
新しく塗布したばかりのセメント仕上げや新しく敷いた寄せ木張りの床を有する新しい建築物の場合など、いくらかの残留水分を有する床に床被覆材を接着する際には特に、この残留水分が床から立ちのぼって、接着に用いる感圧接着剤の効果が損なわれ、従って感圧接着テープまたはフィルムの取扱い特性、およびことによると残留物がない剥離性も損なわれてしまうという問題が生じる。
【０００４】
５００ｇ／ｍ２を上回る重さの床被覆材を用いる場合、特に接着の際に別の問題が生じる。すなわち、温度条件および湿度条件の変化の下で、これにより引起される寸法の変化への傾向により、このような床被覆材は相対的に高い膨張および収縮力をもたらす。従って信頼性の高い接着には、高い接着力を有する適当な感圧接着テープまたはフィルムが必要である。一方で、残留物のない剥離性が損なわれてはならない。
【０００５】
この発明の目的は、床被覆材、特にカーペットを、床または階段に接着するための感圧接着フィルムを提供することである。この感圧接着フィルムは先行技術の不都合を克服し、信頼性の高い接着を提供し、取扱いおよび除去が容易であり、特に、少なくとも床または階段からの、残留物がない剥離性を提供するものである。
【０００６】
この発明に従い、この目的は請求項１に記載の感圧接着フィルムにより達成される。この発明のさらなる好ましい形態が従属項で規定される。
【０００７】
この発明の感圧接着フィルムは、床被覆材特にカーペットを、床または階段に接着するのに用いられる。特に、５００ｇ／ｍ２を上回る重さの床被覆材も接着可能である。この感圧接着フィルムは支持体を有し、これは、床被覆材に面する上面と、床または階段に面する下面とにおいて、感圧接着コーティングによりコーティングされる。
【０００８】
この発明に従うと、感圧接着フィルムは１５ｍ以下のｓｄ値で水蒸気に対し透過性があり、支持体はプラスチックフィルムからなり、少なくとも支持体は穿孔される。ｓｄ値は、等価の水蒸気拡散性を有する気層の厚みをメートルで示す。水蒸気透過性のｓｄ値は、リシー（Ｌｙｓｓｙ）博士のＡＳＴＭＥ３９８法により求められる。
【０００９】
この発明の感圧接着フィルム構成によって、特に新しく敷いたばかりの寄せ木張りの場合、または新しく塗布したばかりでまだ完全に乾燥していないかもしれないセメント仕上げに床被覆材を敷く際に、この発明の感圧接着フィルムの支持体と床との間に床から立ちのぼる残留水分すなわち水蒸気が蓄積せず、こうして用いている感圧接着コーティングの接着特性に悪影響を与えないようにすることができる。特に接着力の減少、および起こり得る剥離性の劣化を避けることができる。さらに、この発明の感圧接着フィルムの構成により、床被覆材を接着した際、置かれることがある寄せ木張りに水蒸気の蓄積でカビが生えたり、またはこれが軟らかくなったりすることがなくなるであろう。
【００１０】
ｓｄ値は好ましくは０．２ｍから１５ｍ、特に０．５ｍから７ｍの範囲である。
【００１１】
この発明に従うと、支持体および感圧接着層の水蒸気透過性は、少なくとも支持体の穿孔、および／または少なくとも１表面の感圧接着コーティングの穿孔によってもたらされる。このように感圧接着フィルムの水蒸気透過性は簡単なやり方で達成され得る。しかしながら、感圧接着フィルムが単に区域ごとに予め製作され、感圧接着フィルムの特定の区域が、適当に延在する穿孔に沿って、残りの感圧接着フィルムから切断可能であるように、この発明の穿孔を理解すべきではない。しかしながら、予め製作することが必要および望ましければ、一般にこれを行なってもよい。
【００１２】
支持体および／または少なくとも１表面の感圧接着コーティングには、面全体にわたって配置した穿孔を与えることが特に好ましい。これにより、特にこの発明の感圧接着フィルムを大きな表面にわたって用いる場合に、可能な限り最良の水蒸気透過性が得られる。
【００１３】
少なくとも１表面の感圧接着コーティングおよび支持体にある穿孔が互いに整列することで、床から立ちのぼるいかなる水蒸気も直接通過できることが特に有利である。
【００１４】
好ましくは、穿孔は互いに対し好ましくは１０ｃｍ未満の距離にあり、ここで孔は好ましくは４ｍｍ２未満の断面積を有する。
【００１５】
当然のことながら、たとえば少なくとも一方の表面で穿孔された感圧接着コーティングを有する、穿孔された支持体を、他方の表面上の穿孔されていない透過性のある感圧接着コーティングと組合わせることが、この発明の範囲内で可能である。これに従い支持体は、たとえば上面または下面上にのみ、穿孔された感圧接着コーティングを与えられ、他方の表面上には穿孔されていない透過性感圧接着コーティングを有し得る。しかし穿孔された支持体には、上面および下面で、穿孔された感圧接着コーティングを与えることができ、穿孔は互いに整列され得る。好ましくは、少なくとも１表面の感圧接着コーティングは、水蒸気が拡散できる感圧接着剤からなり得る。しかしながら両方の表面とも、水蒸気が拡散できる感圧接着剤からなる、穿孔されたまたは穿孔されていない感圧接着コーティングを有し得る。
【００１６】
支持体は少なくともその下面で本質的に平らに構成されることが有利である。さらに、少なくとも下面の感圧接着コーティングが本質的に平らに構成されることが有利である。従って少なくとも穿孔間で、支持体および／または少なくとも下面の感圧接着コーティングは平らに構成され得る。これを「本質的に平ら」という用語で表わす。
【００１７】
下から、すなわち床に面する下面の側から感圧接着フィルムに穿孔を開けることで、感圧接着フィルムの特に好ましい形態がもたらされる。
【００１８】
こうして、この発明の感圧接着フィルムの少なくとも支持体の下面、および少なくとも下面の感圧接着コーティングは、確実に本質的に平らに構成されるが、それは、このように孔を開けたことにより、支持体の穿孔のバリが下面から離れて上方向に向けられるからである。さらに、少なくとも下面にある感圧接着コーティングは実質的にこれを平らにする。
【００１９】
支持体および／または感圧接着コーティングの少なくとも下面を本質的に平らに構成することにより、この発明の感圧接着フィルムを特に高い信頼性で接着することが確実に可能となり、ここで、平らでないことの結果である点状のより強い接着から生じる付着中心を避けることによって、二次元的な固定が達成される。これはこの発明の感圧接着フィルムの取扱いを向上させ、さらに（少なくとも上面が本質的に平らに構成される場合）床および階段から、および／または（上面もまた本質的に平らに構成される場合）床被覆物から、この発明の感圧接着フィルムを本質的に残留物なしに剥離できることに寄与する。
【００２０】
さらに、この発明の感圧接着フィルムを床もしくは階段、または床もしくは階段および／もしくは床被覆材から剥離する際、感圧接着剤のコーティングが支持体上に残ることで残留物のない剥離性が可能となることが特に好ましい。
【００２１】
床または階段、および床被覆材から、感圧接着フィルムを残留物なしに剥離できることは、たとえば見本市建築物で展示台を解体した後に床被覆物を再び用いる際に特に有利である。
【００２２】
この発明の感圧接着フィルムの好ましい形態では、特に信頼性の高い接着を、本質的に残留物のない床からの剥離性とともに達成するために、感圧接着コーティングの感圧接着フィルムの下面は、上面よりも小さい接着強さを有する。
【００２３】
この発明の感圧接着フィルムの取扱い特性を向上させるために、感圧接着フィルムは少なくとも上面でその感圧接着コーティング上に除去可能被覆フィルムを有する。この被覆フィルムはたとえばシリコーン紙または異なった好適な材料からなり得る。
【００２４】
これに追加して、または下面にのみ、除去可能被覆フィルムがあり得る。これは下面の接着強さが上面の接着強さよりも小さい場合には必須ではない。
【００２５】
剥離可能な接着性の被覆フィルムは、対応する上面と実質的に隙間なしに接触する。
【００２６】
感圧接着フィルムはロールの形で持ち運ばれ得る。この目的のため感圧接着フィルムはロールへと巻き取られる。一般に、感圧接着フィルムはロールから所望の長さだけ巻き戻され得る。感圧接着フィルムは、特定の幅、さらに特定の長さおよび／または形状で予め製作され得る。
【００２７】
可能な限り最良の接着結果を達成するために、床被覆材で覆うことになる床または階段の大きな面積を感圧接着フィルムが覆うように、感圧接着フィルムを形成することが特に有利である。
【００２８】
これに関連して、感圧接着フィルムの幅は８０ｍｍから２０００ｍｍの範囲であり、特に５００ｍｍから１５００ｍｍの範囲、特に６００ｍｍから１０００ｍｍの範囲であることが特に有利である。階段の場合には２４０ｍｍの幅の感圧接着フィルム、床の場合には少なくとも３５０ｍｍの幅の感圧接着フィルムが特に好ましい。
【００２９】
これに関連して、感圧接着フィルムがロールへと巻き取られる場合には、幅はロールの巻き戻し幅（ロール幅）となるよう規定される。
【００３０】
好適な幅の感圧接着フィルムを選択することにより、特に感圧接着フィルムで接着すべき床を大きな面積にわたり覆うことが達成でき、こうして特に簡単で信頼性の高い接着を可能にすることができる。感圧接着フィルムを階段に用いる際には、感圧接着フィルムが、２片での通常の寸法で、階段の踏み板および蹴り込み板を大部分または完全に覆うことができるように、これに好適な２４０ｍｍの幅が選択される。各々の場合に好適なサイズに切った感圧接着フィルム片を階段の踏み板および蹴り込み板に適用することができ、そのそれぞれの端は階段の端の領域で出会う、または僅かに重なることにより、隙間のない接着表面を形成する。より小さい幅の感圧接着フィルムを選択する場合でも、感圧接着フィルムにより表面を大部分または完全に覆うことは達成可能である。しかしこのような場合には、好適なサイズに切った感圧接着フィルム２片以上が必要となる。次に３片以上を好適な寸法に切って、たとえば階段の端にも置くことができる。
【００３１】
さらに、特に民間部門では、面全体にわたらずに床被覆材を固定する必要もあり得る。この目的のために、この発明の感圧接着フィルムを８０ｍｍから５００ｍｍの幅で提供することができる。適当な構成において、床被覆材は、本質的にその端縁領域でのみ、適当な幅のこの発明の感圧接着フィルムで固定、または適当な感圧接着フィルムは、床被覆材の２片間での移行部における継目領域の下に置かれる。この形態では、この発明の感圧接着フィルムを従来のカーペットテープのように扱うことができる。
【００３２】
床被覆材を接着する際には、この発明の感圧接着フィルムを以下のやり方で用いることが好ましい。
【００３３】
床の全体は、感圧接着フィルムで可能な限り隙間なく覆われる。これを行なうために、好ましくは接着強さがより小さい下面を床の方向に向ける。上面は被覆フィルムで覆われることが好ましい。次に床被覆材を一時的に敷き、任意に裁断する。この後、床被覆材の一部を折り畳み、感圧接着フィルムのこの部分にある被覆フィルムを除去する。床被覆材の折り畳まれた部分を、好ましくはより大きい接着強さを有する上面へもう一度折り畳み、任意に押圧する。床被覆材全体を床に接着するまで、床被覆材の残りの部分について同じ手順を行なう。
【００３４】
床から床被覆材を残留物なしに好ましく剥離するためには、床被覆材を床から上方向に引くだけでよい。この際、感圧接着フィルムは床から離れ、好ましくは床被覆材に付着し続ける。同時に下面の感圧接着コーティングは支持体にとどまる。これに加え、この発明の感圧接着フィルムを床被覆材から剥離できかつ上面の感圧接着コーティングが支持体に残るように、この発明の感圧接着フィルムを構成することもまた可能である。従って、たとえば見本市で床被覆材を用いる際にはこれを再び用いることができ、さらにその扱いやすさはその下側にあり得る接着剤残留物によって制限されない。
【００３５】
プラスチック支持体フィルムの材料は特にポリプロピレンまたはポリエチレンフィルムであり得る。支持体はポリアミドフィルムからなることもある。しかしながら、ゴムまたはラテックスなどその他どの好適な材料も考えられ得る。
【００３６】
この発明の感圧接着フィルムの良好な取扱いを、特にこれが穿孔される際にも可能とするために、支持体は１０〜１００μｍの範囲、好ましくは２０〜７５μｍ、特に５０〜７０μｍの範囲の厚みを有する。
【００３７】
感圧接着剤としては、たとえば樹脂ならびにこれに含まれる紫外線保護剤および老化保護剤により強化されたアクリレートのディスパージョンが適していると証明された。しかしながら、好適な感圧接着性ディスパージョン接着剤であって、水蒸気が拡散可能なものであれば、どの接着剤を用いてもよい。好ましくは、感圧接着コーティングは表面全体にわたって延在する。しかしこれを区域ごとに塗布してもよい。
【００３８】
接着力が異なるなど異なった感圧接着剤、または同じ感圧接着剤を、２表面の各々に用いることができる。
【国際公開パンフレット】
2004506811.tif 000002
2004506811.tif 000003
2004506811.tif 000004
2004506811.tif 000005
2004506811.tif 000006
2004506811.tif 000007
2004506811.tif 000008
2004506811.tif 000009
2004506811.tif 000010
2004506811.tif 000011
2004506811.tif 000012
2004506811.tif 000013
2004506811.tif 000014
【国際調査報告】
2004506811.tif 000015
2004506811.tif 000016
2004506811.tif 000017
2004506811.tif 000018